(57)【要約】【課題】表示品位の優れた車両用表示装置を提供する。【解決手段】３原色の光を発するため、各色出力する発光ダイオードからなる光源１１ａ〜１１ｃと、この光源１１ａ〜１１ｃからの光出力を利用して投影するための画像を生成する表示器１４と、光源１１ａ〜１１ｃの温度を検出し温度情報として出力する温度センサ１１２と、光源１１ａ〜１１ｃを駆動する光源駆動回路１１０ｃと、表示器１４を駆動する表示器制御回路１１０ｄと、前記温度情報に基づいて光源駆動回路１１０ｃを制御して調光する制御部１１０ｂと、を備え、制御部１１０ｂは、前記温度情報が所定値以上である場合に、表示器制御回路１１０ｄによる制御によって前記画像の色味を調整する。【選択図】図５
2018091994.tif 000002
【特許請求の範囲】
【請求項１】
３原色の光を発するため、各色出力する発光ダイオードからなる光源と、
この光源からの光出力を利用して投影するための画像を生成する表示器と、
前記光源の温度を検出し温度情報として出力する温度センサと、
前記光源を駆動する光源駆動回路と、
前記表示器を駆動する表示器制御回路と、
前記温度情報に基づいて前記光源駆動回路を制御して調光する制御部と、を備え、
前記制御部は、前記温度情報が所定値以上である場合に、前記表示器制御回路による制御によって前記画像の色味を調整することを特徴とする車両用表示装置。
【請求項２】
前記制御部は、前記温度情報が所定値以上である場合に、赤色を発する光源の駆動電流を一定、または低下させるとともに、
前記表示器制御回路による制御によって、前記画像の色味を調整することを特徴とする請求項１に記載の車両用表示装置。
【請求項３】
前記表示器制御回路は、前記画像の表示色の濃淡に関する階調レベルを変化させて所望の色味を発するように前記光源を駆動し、
前記制御部は、前記温度情報が所定値以上である場合に、前記階調レベルを変更して、前記画像の色味を調整することを特徴とする請求項１または請求項２に記載の車両用表示装置。
【発明の詳細な説明】
【技術分野】
【０００１】
本発明は、車両用表示装置に関し、例えば、３原色の光を画像情報により変調して合成することにより表示光を生成する車両用表示装置として好適である。
【背景技術】
【０００２】
従来の車両用表示装置の照明構造は、３原色の光を生成するための光源（ＲＧＢ光源）に、メタルハライドランプや超高圧水銀ランプなどの放電型ランプが採用され、いわゆる３板式による場合は、放電型ランプが発する白色光をダイクロイックミラーにより赤色（Ｒ）、緑色（Ｇ）、青色（Ｂ）の３原色に分離し、この３原色を画像情報により変調して合成プリズム（ダイクロイックプリズム）で合成した後、出力することで、例えば、映像をスクリーンに表示するための光源出力を行うものがあり、例えば、特許文献１に開示されている。
【先行技術文献】
【特許文献】
【０００３】
【特許文献１】特開２００９−８６２６９号公報
【発明の概要】
【発明が解決しようとする課題】
【０００４】
これら車両用表示装置の光源として発光ダイオードを適用する場合には、ＲＧＢ光源のうち赤色光源が、温度上昇に伴い色味が変化したり、光出力が低下したりしてしまう特性を有しており、例えば、白色を表現する際には、良好なホワイトバランスに調整できないという問題があった。
【０００５】
そこで本源発明の目的は、上述した課題に着目し、表示品位の優れた車両用表示装置を提供することにある。
【課題を解決するための手段】
【０００６】
上記目的を達成するため、本発明の車両用表示装置は、
３原色の光を発するため、各色出力する発光ダイオードからなる光源と、
この光源からの光出力を利用して投影するための画像を生成する表示器と、
前記光源の温度を検出し温度情報として出力する温度センサと、
前記光源を駆動する光源駆動回路と、
前記表示器を駆動する表示器制御回路と、
前記温度情報に基づいて前記光源駆動回路を制御して調光する制御部と、を備え、
前記制御部は、前記温度情報が所定値以上である場合に、前記表示器制御回路による制御によって前記画像の色味を調整することを特徴とする。
【０００７】
また、前記制御部は、前記温度情報が所定値以上である場合に、赤色を発する光源の駆動電流を一定、または低下させるとともに、
前記表示器制御回路による制御によって、前記画像の色味を調整することを特徴とする。
【０００８】
また、前記表示器制御回路は、前記画像の表示色の濃淡に関する階調レベルを変化させて所望の色味を発するように前記光源を駆動し、
前記制御部は、前記温度情報が所定値以上である場合に、前記階調レベルを変更して、前記画像の色味を調整することを特徴とする。
【発明の効果】
【０００９】
本発明によれば、表示品位の優れた車両用表示装置を提供することにある。
【図面の簡単な説明】
【００１０】
【図１】本発明の実施形態を示す概観図。
【図２】同上実施形態の表示装置の断面図。
【図３】同上実施形態の第１ユニットの断面図。
【図４】同上実施形態の光源部の断面図。
【図５】同上実施形態の光源や表示器の駆動制御に関するブロック図。
【図６】同上実施形態の所定手順を示すフロー図。
【図７】同上実施形態の雰囲気温度値と駆動電流値との関係を示す図。
【図８】同上実施形態の雰囲気温度値と階調レベルとの関係を示す図。
【図９】同上実施形態の雰囲気温度値と階調レベルとの関係を示す図。
【発明を実施するための形態】
【００１１】
以下、本発明に係る車両用表示装置について、ヘッドアップディスプレイに実装した実施形態を添付図面に基づいて説明する。
【００１２】
ヘッドアップディスプレイは、車両のダッシュボード１に設けられた表示装置（車両用表示装置）２が投射する表示光Ｌをフロントウインドシールド（フロントガラス）３によって車両運転者４側に反射させ、虚像Ｖを表示する。車両運転者４は、虚像Ｖを風景と重畳させて視認できる。表示装置２は、第１ユニットＡ１及び第２ユニットＢ１を備えている。
【００１３】
第１ユニットＡ１は、プロジェクタ１０，平面鏡２１，透過型スクリーン２６，ヒートシンク３１，ハウジング４１等から構成されている。第２ユニットＢ１は、反射器５０，６０，ハウジング７１等から構成されている。
【００１４】
プロジェクタ１０は、フィールドシーケンシャル方式によって、透過型スクリーン２６に画像を表示させる。プロジェクタ１０は、光源部１１，ミラー部１２，プリズム１３，表示器１４，投射レンズ部材１５を有しており、ヒートシンク３１に固定されている。
【００１５】
プロジェクタ１０の光源部１１は、青色発光ダイオード１１ａ，赤色発光ダイオード１１ｂ，緑色発光ダイオード１１ｃ，レンズ部材１１ｄ，１１ｅ，１１ｆ，反射ミラー１１ｇ，ダイクロイックミラー１１ｈ，１１ｉ，回路基板１１ｋを有する。レンズ部材１１ｄ，１１ｅ，１１ｆ，反射ミラー１１ｇ，ダイクロイックミラー１１ｈ，１１ｉは、フレーム部材１１ｍの保持部１１ｖで保持されている。
【００１６】
青色発光ダイオード１１ａ，赤色発光ダイオード１１ｂ，緑色発光ダイオード１１ｃを有する光源は、トップビュー型ＬＥＤからなるものであり、夫々、青色光Ｂ，赤色光Ｒ，緑色光Ｇを発する。青色発光ダイオード１１ａ，赤色発光ダイオード１１ｂ，緑色発光ダイオード１１ｃは回路基板１１ｋに搭載されている。青色発光ダイオード１１ａ，赤色発光ダイオード１１ｂ，緑色発光ダイオード１１ｃが搭載された回路基板１１ｋは、図示しないボルトによってヒートシンク３１に固定されている。回路基板１１ｋはヒートシンク３１に接しており、青色発光ダイオード１１ａ，赤色発光ダイオード１１ｂ，緑色発光ダイオード１１ｃが発した熱は、回路基板１１ｋを介して、ヒートシンク３１によって放散される。
【００１７】
レンズ部材１１ｄ，１１ｅ，１１ｆは、夫々、青色発光ダイオード１１ａ，赤色発光ダイオード１１ｂ，緑色発光ダイオード１１ｃが発した青色光Ｂ，赤色光Ｒ，緑色光Ｇを集光させる。反射ミラー１１ｇは、青色発光ダイオード１１ａが発してレンズ部材１１ｄで集光された青色光Ｂを反射させる。ダイクロイックミラー１１ｈは、赤色発光ダイオード１１ｂが発してレンズ部材１１ｅで集光された赤色光Ｒを反射させると共に、反射ミラー１１ｇで反射された青色光Ｂを透過させる。ダイクロイックミラー１１ｉは、緑色発光ダイオード１１ｃが発してレンズ部材１１ｆで集光された緑色光Ｇを反射させると共に、反射ミラー１１ｇやダイクロイックミラー１１ｈで透過または反射された青色光Ｂ，赤色光Ｒを透過させる。
【００１８】
表示ユニット１９は、ミラー部１２，プリズム１３，表示器１４，投射レンズ部材１５をケース体１８に収容している。表示ユニット１９は、光源部１１とは直接的には接触していない。プリズム１３は、ミラー部１２からの光を透過させて表示器１４に照射させる。表示器１４によって生成された表示光Ｌは、プリズム１３の傾斜面１３ａによって、投射レンズ部材１５に向けて反射される。投射レンズ部材１５は、表示光Ｌを拡大し、平面鏡２１に投射する。投射レンズ部材１５は、１枚のレンズ部材で構成しても良いし、複数のレンズ部材で構成しても良い。
【００１９】
平面鏡２１は、保持部材２３に保持されており、プロジェクタ１０からの表示光Ｌを透過型スクリーン２６に反射させる。透過型スクリーン２６は保持部材２４に保持されており、プロジェクタ１０からの表示光Ｌが透過型スクリーン２６に結像される。ヒートシンク３１は、アルミニウム等の金属からなるものであり、複数の放熱フィン３１ａを有している。平面鏡２１及び透過型スクリーン２６は、保持部材２３，２４を介して、ヒートシンク３１に固定されている。ハウジング４１は、不透明な樹脂（例えばポリプロピレン）や金属を組み合わせてなるものであり、プロジェクタ１０，平面鏡２１，透過型スクリーン２６等を収容する。ハウジング４１には、表示光Ｌが出射する窓部４１ａが形成されている。
【００２０】
反射器５０は、平面鏡５１及び支持部材５２を有している。平面鏡５１は、第１ユニットＡ１からの表示光Ｌを凹面鏡６１に反射させる。支持部材５２は、ハウジング７１に固定されており、平面鏡３５を保持する。反射器６０は、凹面鏡６１，ミラーホルダー６２，ステッピングモータ６３，支持部材６４を有している。凹面鏡６１は、樹脂（例えばポリカーボネート）に金属（例えばアルミニウム）を蒸着させ反射面６１ａを形成している。反射面６１ａは凹面となっており、平面鏡５１にて反射された表示光Ｌが拡大されて虚像Ｖが表示される。凹面鏡６１はミラーホルダー６２に両面粘着テープにより接着されている。ミラーホルダー６２は樹脂（例えばＡＢＳ）からなるものであり、歯車部６５及び軸部６６が一体に形成されている。
【００２１】
ステッピングモータ６３の回動軸には歯車６７が取付けられており、この歯車６７は、ミラーホルダー６２の歯車部６５と噛合されている。凹面鏡６１はミラーホルダー６２と共に回動可能な状態で支持されており、ステッピングモータ６３により凹面鏡６１を回動させ、表示光Ｌの投射方向を調整できる。車両運転者４は、押しボタンスイッチ（図示しない）を操作し表示光Ｌが目の位置に反射されるように（即ち、虚像Ｖを視認できるように）凹面鏡６１の角度を調整する。
【００２２】
ハウジング７１は、不透明な樹脂（例えばポリプロピレン）からなり、反射器５０，６０が収容される。ハウジング７１には遮光壁７１ａが設けられており、太陽光等の外光が透過型スクリーン２６に入射し虚像Ｖが見えにくくなる現象（ウォッシュアウト）を防止している。遮光壁７１ａは平板形状になっており、ハウジング７１の上部から斜めに垂下するように形成されている。ハウジング７１の上面には、表示光Ｌが出射する開口部７１ｂが形成されており、この開口部７１ｂには、透光性カバー７２が貼着されている。透光性カバー７２は、ポリカーボネート等の透明樹脂からなるものであり、湾曲形状になっている。
【００２３】
次に、図５に基づいて、光源１１ａ〜１１ｃや表示器１４の駆動制御に関する構成について説明する。
【００２４】
第１ユニットＡ１には、図示しない回路基板を備え、マイクロコンピュータ１１０を実装している。マイクロコンピュータ１１０は、光源１１ａ〜１１ｃと表示器１４を駆動制御する他、照度センサ１１１や温度センサ１１２に接続されている。また、マイクロコンピュータ１１０は、図示しない通信線を介して、他の電子制御ユニットと接続されており、この通信線を介した通信によって、表示装置２による表示出力内容を決めることができる。
【００２５】
マイクロコンピュータ１１０は、所定のプログラムデータや各種テーブルデータやパラメータなどの情報を格納するメモリ１１０ａと、これら情報に基づいて演算処理し、プログラムに基づく制御信号を生成し出力する制御部１１０ｂを設けている。また、マイクロコンピュータ１１０には、制御部１１０ｂの制御信号に基づいて作動する光源駆動回路１１０ｃと、表示器制御回路１１０ｄとを設けている。
【００２６】
光源駆動回路１１０ｃは、制御部１１０ｂからの制御信号に基づいて各光源１１ａ〜１１ｃへの駆動信号を出力する回路であり、トランジスタなどのスイッチ回路が適用される。この場合、光源駆動回路１１０ｃは、制御部１１０ｂからの制御信号に基づく駆動電流値やデューティ比にて駆動信号を生成し、光源１１ａ〜１１ｃの光出力を調整できる。また、光源駆動回路１１０ｃは、照度センサ１１１からの検出信号に基づいて、光源１１ａ〜１１ｃへの駆動電流値を調整できるようにしており、各光源１１ａ〜１１ｃに対して所望の光出力がなされるようにそれぞれ調整する回路を有している。なお、光源駆動回路１１０ｃは、光源１１ａ〜１１ｃを順に点灯させるフィールドシーケンシャル方式にて、出力調整している。
【００２７】
表示器制御回路１１０ｄは、表示器１４を駆動するための駆動回路を設けており、制御部１１０ｂからの制御信号に基づいて、表示器１４から所望の画像が出力されるように駆動制御できる。この表示器制御回路１１０ｄは、制御部１１０ｂのように演算処理回路を設け、各種テーブルデータなどを格納するメモリ１１０ｅを有している。
【００２８】
照度センサ１１１は、光源１１ａ〜１１ｃが発する光出力の強弱を検出するもので、フォトダイオードを用いたセンサを適用できる。照度センサ１１１は、光源１１ａ〜１１ｃが発する表示光Ｌの光路上で、フロントウインドシールド３への投影に用いない光を入力できるように配置されている。照度センサ１１１が検出した光出力値に応じた検出信号（照度情報）は、光源駆動回路１１０ｃへ出力される。この場合、照度センサ１１１は、制御部１１０ｂ及び光源駆動回路１１０ｃの駆動制御によって、ＲＧＢ光源１１ａ〜１１ｃを一種類ずつ点灯させるとともに、この点灯タイミングに合わせて照度センサ１１１の検出信号を読み取ることで、ＲＧＢ光源１１ａ〜１１ｃそれぞれの出力値を検出する。なお、これら出力値の読み取りは、表示出力中、常に行っているが、照度センサ１１１の配置や構成によっては、表示に関係ないタイミングで検出させることもできる。
【００２９】
温度センサ１１２は、光源１１ａ〜１１ｃの雰囲気温度（環境温度）、または光源１１ａ〜１１ｃ自体の温度を検出するためのもので、この場合、回路基板１１ｋに実装される。温度センサ１１２は、温度に応じた検出信号（温度情報）を制御部１１０ｂに出力している。この場合、赤色に発光する赤色発光ダイオード１１ｂの雰囲気温度値を代表値として検出するようにしているが、３原色の光源１１ａ〜１１ｃにそれぞれ対応するように設けることもできる。
【００３０】
光源１１ａ〜１１ｃは、上述したように発光ダイオードを適用できる。
【００３１】
表示器１４は、表示器制御回路１１０ｄからの駆動信号に基づいて、所望の表示画像を生成するためのもので、ＤＭＤ（Digital Micromirror Device）などの反射型表示素子を適用できる。
【００３２】
表示器１４は、多数の微小な鏡面を平面に配列したものであり、可動式のミラー素子を複数備え、このミラー素子の下部に設けた電極を非常に短い時間で駆動することにより、各ミラー素子の鏡面を、ヒンジを支点に傾斜させる。例えば、ミラー素子がオンのときは、ヒンジを支点に＋１２度傾斜し、表示ユニット１９から出射された表示光Ｌを反射し、プリズム１３等を介してスクリーン２６へ届ける。オフのときは、ヒンジを支点に−１２度傾斜し、表示光Ｌはプリズム１３方向に反射しない。このように、表示画像を表す表示画像データに基づき各ミラー素子を個別に駆動することにより、表示光Ｌを選択的にスクリーン２６へ投射することで、所望の輝度、所望の色の表示画像を後述するスクリーン２６に生成する。
【００３３】
次に、図６を用いて、出力調整に関する制御処理について説明する。
【００３４】
制御部１１０ｂは、温度センサ１１２からの検出信号を入力する（ステップＳ１）。この検出信号の入力は、アナログ／デジタル変換を含み、制御部１１０ｂは、光源１１ａ〜１１ｃの雰囲気温度値（温度値）を測定する。この場合、赤色発光ダイオード１１ｂの雰囲気温度値に基づいて以下の処理を行う。
【００３５】
制御部１１０ｂは、ステップＳ１の処理で測定された温度値が、所定値（しきい値）以上であるか否かを判定処理する（ステップＳ２）。この所定値は、赤色発光ダイオード１１ｂの許容される温度上限値が設定される。なお、赤色発光ダイオード１１ｂは、他の光源１１Ａ，１１Ｃに比べて、該温度上限値が低く、この所定値を超えた場合に、同じ駆動電流値が付与された場合であっても、輝度が減少したり、所望の色味が出せないなどの不具合が発生してしまう虞がある。
【００３６】
制御部１１０ｂは、ステップＳ２の判定処理によって、測定された温度値が、所定値未満である場合には、通常の処理として、光源１１ａ〜１１ｃの雰囲気温度に基づく、駆動電流値をメモリ１１０ａに格納された第１のテーブルデータに基づいて設定する（ステップＳ３）。これは、光源１１ａ〜１１ｃが温度環境によって、出力輝度が変化してしまうため、この変化に合わせて所望の出力がなされるように補正するためである。例えば、図７に示すように、所定値Ｔａ未満の範囲で、測定された温度値によって、光源１１ａ〜１１ｃそれぞれの駆動電流値を設定でき、概ね雰囲気温度に比例した駆動電流値が設定される。
【００３７】
また、制御部１１０ｂは、ステップＳ２の判定処理によって、測定された温度値が、所定値Ｔａ以上である場合には、通常よりも温度上昇があったものとして、光源１１ａ〜１１ｃの駆動電流値をメモリ１１０ａに格納された第２のテーブルデータに基づいて設定する（ステップＳ４）。この際、光源１１ａ，１１ｃは、測定された温度値に基づいてそれぞれの駆動電流値が設定され、光源１１ｂは、一定の駆動電流値、または駆動電流値を雰囲気温度の上昇に応じて小さくする値に設定できる。光源１１ｂを一定の駆動電流値に設定する前者の場合をケースＣ１、後者の場合をケースＣ２として説明する。
【００３８】
上記ステップＳ４の処理によって、光源１１ａ〜１１ｃの出力バランスが崩れたことによって、所望の色が表現できなくなる。制御部１１０ｂは、これを補間するため、表示器制御回路１１０ｄを介して表示器１４による色味調整を、以下のステップＳ５〜Ｓ７の処理によって行う。
【００３９】
ステップＳ５において、制御部１１０ｂは、表示器制御回路１１０ｄが駆動する表示器１４の赤色出力に関する階調が、何れの画素においても所定の値よりも小さいか否かを判定処理する。この所定の値は、最大値でもよい。なお、各色の階調は、フィールドシーケンシャルにおける、単位時間当たりの点灯時間、または点灯頻度が対応付けられており、予め設定されている。この設定情報は、テーブルデータ、またはパラメータとしてメモリ１１０ｅに格納されている。
【００４０】
このステップＳ５の判定処理によって、赤色出力に関する階調が、所定の値より小さい場合において、表示器制御回路１１０ｄは、図８に示すように、雰囲気温度が所定値Ｔａ以上の際に、赤色の階調を大きくして、赤色が強く感じられるように表示器１４を駆動する（ステップＳ６）。これにより、赤色の輝度出力が減少しても、所望の色味を表現できる。
【００４１】
また、ステップＳ５の判定処理によって、条件を満たしていない場合、即ち、赤色の階調を高めることができない場合には、図９に示すように、緑色と青色の階調を小さくして、実際に出力される色バランスを保つように光源１１ａ〜１１ｃを駆動する（ステップＳ７）。
【００４２】
なお、ステップＳ５〜Ｓ７において、赤色発光ダイオード１１ｂの駆動電流を一定にする場合（ケースＣ１）、温度センサ１１２からの検出信号に基づいて、赤色発光ダイオード１１ｂの温度補償範囲に起因する許容上限温度値Ｔｂ（所定値Ｔａよりも高温な値）に達する場合には、強制的に赤色発光ダイオード１１ｂの駆動電流を小さくし、図７〜図９に示すケースＣ２の駆動電流や、階調設定を行うことで、発光ダイオード１１ｂ自体の発熱にともなう温度上昇を抑止できる。
【００４３】
制御部１１０ｂは、ステップＳ３、またはステップＳ４〜Ｓ７にて設定された値にて光源１１ａ〜１１ｃや表示器１４を制御するとともに、更に光源駆動回路１１０ｃが、照度センサ１１１からの検出信号に基づいてフィードバック制御し、光源１１ａ〜１１ｃの駆動電流を補正する（ステップＳ８）ことで、より精度よく所望の色を出力できる。
【００４４】
上述ステップＳ１〜Ｓ８の処理を繰り返すことによって、制御部１１０ｂは、車載され、さらにダッシュボード１内での過酷な温度環境下であっても所望の色味での出力を保持させることができる。特に、表示画像のホワイトバランスを維持することで、違和感のない表示出力を行う表示装置２となる。
【００４５】
斯かる表示装置２は、３原色の光を発するため、各色出力する発光ダイオードからなる光源１１ａ〜１１ｃと、この光源１１ａ〜１１ｃからの光出力を利用して投影するための画像を生成する表示器１４と、光源１１ａ〜１１ｃの温度を検出し温度情報として出力する温度センサ１１２と、光源１１ａ〜１１ｃを駆動する光源駆動回路１１０ｃと、表示器１４を駆動する表示器制御回路１１０ｄと、前記温度情報に基づいて光源駆動回路１１０ｃを制御して調光する制御部１１０ｂと、を備え、制御部１１０ｂは、前記温度情報が所定値以上である場合に、表示器制御回路１１０ｄによる制御によって前記画像の色味を調整する。
【００４６】
従って、過酷な温度環境下であっても所望の色味で出力でき、違和感のない表示出力を行うことができ、表示品位の優れた表示装置となる。
【００４７】
また、制御部１１０ｂは、前記温度情報が所定値以上である場合に、赤色を発する光源１１ｂの駆動電流を一定、または低下させるとともに、表示器制御回路１１０ｄによる制御によって、前記画像の色味を調整する。従って、所望の色味にて画像出力でき、表示品位の優れた表示装置となる。また、光源１１ｂの発熱も抑えることができるため、更に温度上昇してしまうことを抑止できる。
【００４８】
表示器制御回路１１０ｄは、画像の表示色の濃淡に関する階調レベルを変化させて所望の色味を発するように光源１１ａ〜１１ｃを駆動し、制御部１１０ｂは、前記温度情報が所定値以上である場合に、前記階調レベルを変更して、前記画像の色味を調整する。従って、過酷な温度環境下であっても、表示品位の優れた表示装置となる。
【００４９】
なお、本発明を上述した実施の形態の構成にて例に挙げて説明したが、本発明はこれに限定されるものではなく、他の構成においても、本発明の要旨を逸脱しない範囲において種々の改良、並びに表示の変更が可能なことは勿論である。例えば、上述実施の形態にあっては、ＤＭＤからなる表示器１４を例にあげて説明したが、表示器として液晶ディスプレイを適用したり、ＭＥＭＳスキャナでレーザービームをラスタースキャンし、映像信号に同期してレーザー光を変調することで描画する走査型レーザーディスプレイの表示構造として適用することもでき、上述した実施形態と同様の効果を得ることができる。
【産業上の利用可能性】
【００５０】
本発明は、車両用表示装置に関して、例えば、自動車やオートバイ、あるいは農業機械や建設機械を備えた移動体に搭載され、車両情報やターンバイターン表示等の道路情報などを投影表示する車載ヘッドアップディスプレイとして好適である。
【符号の説明】
【００５１】
２        表示装置（車両用表示装置）
１１ａ〜１１ｃ  光源
１１０ｂ  制御部
１１０ｃ  光源駆動回路
１１０ｄ  表示器制御回路
１１１    照度センサ
１１２    温度センサ
１４      表示器
【図１】
2018091994.tif 000003
【図２】
2018091994.tif 000004
【図３】
2018091994.tif 000005
【図４】
2018091994.tif 000006
【図５】
2018091994.tif 000007
【図６】
2018091994.tif 000008
【図７】
2018091994.tif 000009
【図８】
2018091994.tif 000010
【図９】
2018091994.tif 000011